(57)【要約】【課題】  複数枚のシートを円滑に順次撮像可能な状態とするためのシート送り装置を提供すること。【解決手段】  このシート送り装置１ａは、下方に配置されたシートが透視可能なように設けられている表示窓１２と、シートを収納可能なように構成されており、表示窓１２の下方に配置されている表示トレイ１８と、表示トレイ１８を挟んで表示窓１２とは反対側に配置され、表示トレイ１８に供給するシートを収納可能なように形成されている収納トレイ２０と、表示トレイ１８及び収納トレイ２０の間においてシートを搬送する搬送機構としてのローラ１３，１５，１７及びモータ１４，１６と、を備える。【選択図】  図３
2006016168.tif 000002
【特許請求の範囲】
【請求項１】
実質的に透明な板状部材で形成され、その主面側に配置されたシートが当該主面に対向する面側から透視可能なように設けられている表示窓と、
前記シートを収納可能なように構成されており、前記表示窓の主面に対向する位置に配置されている第１のトレイと、
前記第１のトレイを挟んで前記表示窓とは反対側に配置され、前記第１のトレイに供給するシートを収納可能なように形成されている第２のトレイと、
前記第１のトレイ及び前記第２のトレイの間において前記シートを搬送する搬送機構と、
を備えるシート送り装置。
【請求項２】
前記第１のトレイを前記表示窓に対して進退自在に移動させる移動機構を備える、請求項１に記載のシート送り装置。
【請求項３】
前記搬送機構は、前記第１のトレイと前記第２のトレイとを繋ぐ湾曲形状の搬送路と、前記第１のトレイ及び前記第２のトレイに収納されたシートを取り出すことが可能なように設けられているローラとを有する、請求項１又は２に記載のシート送り装置。
【発明の詳細な説明】
【技術分野】
【０００１】
本発明は、シートを搬送するシート送り装置に関する。
【背景技術】
【０００２】
会議等のプレゼンテーション用の装置として、普通紙に印刷された内容をカメラで撮像し、その撮像した内容を投影するプロジェクタがある（例えば、下記非特許文献１参照。）。
【非特許文献１】「マルチプロジェクタＭＰ−７００カタログ」、日本アビオニクス株式会社、２００４年２月
【発明の開示】
【発明が解決しようとする課題】
【０００３】
上述のプロジェクタでは、ガラス板上に表示しようとするシートを戴置し、ガラス板を通して撮像したシートの内容を投影するものである。例えば、表示しようとするシートが複数枚ある場合には、ガラス板を覆う蓋を開けてシートを交換する必要があった。このように手動でシートを交換する際には、ガラス板を覆う蓋を開けて、前に配置したシートを取り除き、新たに配置するシートを配置する必要があった。従って、複数枚のシートを撮像可能な位置に円滑に順次配置することが困難であった。
【０００４】
そこで本発明では、複数枚のシートを円滑に順次撮像可能な状態とするためのシート送り装置を提供することを目的とする。
【課題を解決するための手段】
【０００５】
本発明のシート送り装置は、実質的に透明な板状部材で形成され、その主面側に配置されたシートが当該主面に対向する面側から透視可能なように設けられている表示窓と、シートを収納可能なように構成されており、表示窓の主面に対向する位置に配置されている第１のトレイと、第１のトレイを挟んで表示窓とは反対側に配置され、第１のトレイに供給するシートを収納可能なように形成されている第２のトレイと、第１のトレイ及び第２のトレイの間において前記シートを搬送する搬送機構と、を備える。
【０００６】
本発明のシート送り装置によれば、表示窓の主面に対向する位置に、シートが収納可能な第１のトレイを配置しているので、表示窓を通して第１のトレイに収納されたシートを透視することができる。第１のトレイに収納するシートは第２のトレイに準備することができ、第１のトレイと第２のトレイとの間で搬送機構がシートを搬送するので、複数枚のシートを順次第１のトレイに供給できる。
【０００７】
また本発明のシート送り装置では、第１のトレイを表示窓に対して進退自在に移動させる移動機構を備えることも好ましい。第１のトレイを表示窓に対して近接させ、離隔させることができるので、第１のトレイに収納されたシートを表示窓に当接させることができると共に、第１のトレイにシートを送り込めるように空隙を設けることもできる。
【０００８】
また本発明のシート送り装置では、搬送機構は、第１のトレイと第２のトレイとを繋ぐ湾曲形状の搬送路と、第１のトレイ及び第２のトレイに収納されたシートを取り出すことが可能なように設けられているローラとを有することも好ましい。第１のトレイ及び第２のトレイに収納されたシートを取り出して搬送路に送り出すことができるので、シートの移動が円滑に行える。
【発明の効果】
【０００９】
本発明によれば、表示窓の主面側に複数枚のシートを順次供給できる。従って、表示窓を通して透視するシートを撮像可能なように撮像手段を配置すれば、複数枚のシートを順次円滑に撮像することができる。
【発明を実施するための最良の形態】
【００１０】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１１】
本実施形態のシート送り装置１ａについて図１を参照しながら説明する。図１は、シート送り装置１ａの仕様態様を説明するための図である。シート送り装置１ａは、その筐体１１の天板１１１に嵌め込まれた表示窓１２の下方にシート２が配置されるように構成されている。表示窓１２の下方に配置されたシート２は、プロジェクタ３の撮像部３４によって撮像される。
【００１２】
プロジェクタ３は、撮像部３４と、撮像部３４を支持するアーム３３が取り付けられている本体３１と、その本体３１に取り付けられている映写部３２とから構成されている。撮像部３４が撮像したシート２の画像は映写部３２からスクリーン等に投影される。
【００１３】
引き続いて、シート送り装置１ａの内部構造について図２を参照しながら説明する。図２は、シート送り装置１ａの平面図であって、筐体１１の天板１１１を取り外した状態を示している。
【００１４】
表示窓１２は、実質的に透明なガラス板で形成されており、その下方に配置されたシート２に印刷された文字等が透視できるようになっている。図２の状態は、シート２に印刷された文字等を撮像する状態を示しているので、シート２を搬送するためのローラ１３はシート２上からは退避した状態になっている。
【００１５】
図２のＩ−Ｉ断面図を図３に示す。図３を参照しながら、シート送り装置１ａの内部構造について更に説明する。表示窓１２の下方には表示トレイ１８（第１のトレイ）が配置されている。表示トレイ１８の底面に取り付けられた４個の押上バネ１８２は押上板１８１を矢印Ａ方向に付勢しながら支えている。押上板１８１は更に、図示しないシリンダ−ピストン機構によっても支持されており、そのシリンダ−ピストン機構によって上下動するように構成されている。
【００１６】
表示トレイ１８の両端は支持部材１８３によって支持されている。支持部材１８３は、シリンダ１９（移動機構）に対して進退自在に構成されているピストンロッド１９１（移動機構）によって支持されている。従って、シリンダ１９内をピストンロッド１９１が移動すると、その移動に連動して表示トレイ１８は矢印Ｂの方向に上下動する。
【００１７】
図３に示した状態は、表示トレイ１８が最も上昇した状態を示しており、この状態では表示トレイ１８に収納されているシート２は、表示窓１２の主面に当接するようになっている。
【００１８】
図２においても説明したように、図３に示すように表示トレイ１８が上昇した状態では、ローラ１３は表示トレイ１８を回避するように矢印Ｃの方向に移動して保持されている。ローラ１３はモータ１４の回転軸と連動するようにベルトで連結されている。
【００１９】
表示トレイ１８を挟んで表示窓１２と反対側には収納トレイ２０（第２のトレイ）が配置されている。収納トレイ２０は表示トレイ１８の下方に配置されていると共に、矢印Ｄの方向に引き出すことが可能なように構成されている。従って、収納トレイ２０に収納されているシート２を交換する際には、収納トレイ２０を矢印Ｄ方向に引き出して交換することができる。
【００２０】
収納トレイ２０も表示トレイ１８と同様に、その底面に取り付けられた４個の押上バネ２０２は押上板２０１を付勢しながら支えている。押上板１８１は更に、図示しないシリンダ−ピストン機構によっても支持されており、そのシリンダ−ピストン機構によって上下動するように構成されている。
【００２１】
収納トレイ２０は表示トレイ１８に供給するシート２を収納するトレイである。収納トレイ２０に収納されているシート２は、搬送機構によって表示トレイ１８に搬送される。
【００２２】
本実施形態の搬送機構は、ローラ１３、モータ１４、ローラ１５、モータ１６、ローラ１７、及び搬送路２１によって構成されている。ローラ１５はモータ１６の回転軸と連動するようにベルトで連結されている。ローラ１５は、収納トレイ２０内のシート２を取り出して搬送路２１側へ送り出すことが可能であると共に、搬送路２１から送り出されてくるシート２を収納トレイ２０内へ送り出すことも可能となっている。このローラ１５の作用について後ほど詳述する。
【００２３】
搬送路２１は、表示トレイ１８と収納トレイ２０とを繋ぐように設けられており、表示トレイ１８の端部近傍から収納トレイ２０の端部近傍に向けて湾曲した形状となっている。表示トレイ１８の下方に収納トレイ２０が配置されているので、搬送路２１は収納トレイ２０から送り出されたシート２を折り返しつつ表示トレイ１８側に送り出すようになっている。
【００２４】
搬送路２１には、一対のローラ１７が二組設けられている。ローラ１７は搬送路２１内においてシート２を誘導するように配置されている。搬送路２１から表示トレイ１８へ至る間には、既に説明したようにローラ１３及びモータ１４が設けられている。
【００２５】
引き続いて、図４を参照しながら、収納トレイ２０から表示トレイ１８にシート２を搬送する際の各部の動作について説明する。収納トレイ２０のシリンダ−ピストン機構（図示しない）が押上板２０１を矢印Ｅ１の方向に上昇させ、押上板２０１上のシート２がローラ１５に押し当てられる。ローラ１５はモータ１６によって回転させられて、シート２を矢印Ｇ１方向に送り出す。
【００２６】
矢印Ｇ１方向に送り出されたシート２はローラ１７によってガイドされながら、搬送路２１内を進行する。
【００２７】
一方、表示トレイ１８はシリンダ１９内にピストンロッド１９１が入り込むことによって下降させられており、表示トレイ１８の上端はローラ１３の位置とほぼ一致した位置にある。更に、表示トレイ１８のシリンダ−ピストン機構（図示しない）のピストンロッド（図示しない）は矢印Ｆ方向に下降しており、それに伴って押上板１８１も矢印Ｆ方向に下降している。
【００２８】
搬送路２１内を進行してきたシート２は、ローラ１７からローラ１３に至る。ローラ１３はシート２を搬送路２１から表示トレイ１８に向けて送り出すように回転している。シート２は矢印Ｈ１方向で表示トレイ１８上に送り出され、押上板１８１の下降に伴って下降しているシートの上に戴置される。
【００２９】
図４を参照しながら説明した状態における、シート送り装置１ａの平面図を図５に示す。図２と比較すると、ローラ１３はシート２側に倒れてその一端部分を覆い隠すように位置している。
【００３０】
引き続いて、図６を参照しながら、表示トレイ１８から収納トレイ２０にシート２を搬送する際の各部の動作について説明する。図４を参照しながら説明したのと同様に、表示トレイ１８はシリンダ１９内にピストンロッド１９１が入り込むことによって下降させられている。
【００３１】
一方、表示トレイ１８のシリンダ−ピストン機構（図示しない）のピストンロッド（図示しない）は矢印Ａ方向に上昇しており、それに伴って押上板１８１も矢印Ａ方向に上昇している。押上板１８１の上昇に伴って、押上板１８１上のシート２がローラ１３に押し当てられる。ローラ１３はモータ１４によって回転させられて、シート２を矢印Ｈ２方向に送り出す。
【００３２】
矢印Ｈ２方向に送り出されたシート２はローラ１７によってガイドされながら、搬送路２１内を進行する。
【００３３】
収納トレイ２０のシリンダ−ピストン機構（図示しない）のピストンロッド（図示しない）は、搬送路２１に臨む側が下降するように矢印Ｅ２方向に下降しており、それに伴って押上板２０１も搬送路２１に臨む側が矢印Ｅ２方向に下降している。押上板２０１の下降に伴って、収納トレイ２０内のシート２はローラ１５から離れる。
【００３４】
搬送路２１内を進行してきたシート２は、ローラ１７からローラ１５に至る。ローラ１５はシート２を搬送路２１から収納トレイ２０に矢印Ｇ２方向で送り出すように回転している。シート２は収納トレイ２０上に送り出され、押上板２０１の下降に伴って下降しているシート２の上に戴置される。この際、押上板２０１はローラ１５側に傾いているので、押上板２０１上に戴置されたシート２は収納トレイ２０のローラ１５側の壁に当接する。従って、再び図４を参照しながら説明したように、収納トレイ２０から表示トレイ１８にシート２が搬送される際に、シート２に対してローラ１５が適切に接触できる。
【００３５】
本実施形態においては、表示窓１２の主面に対向する位置（表示窓１２の下方）に、シートが収納可能な表示トレイ１８を配置しているので、表示窓１２を通して表示トレイ１８に収納されたシートを透視することができる。表示トレイ１８に収納するシート２は収納トレイ２０に準備することができ、表示トレイ１８と収納トレイ２０との間で搬送路２１を含む搬送機構がシートを搬送するので、複数枚のシートを順次表示トレイ１８に供給できる。
【００３６】
また、表示トレイ１８が表示窓１２に対して昇降可能なようにシリンダ１９及びピストンロッド１９１を設けているので、シートを撮像する際には表示トレイ１８を上昇させて表示窓１２に当接させることができる。また、シートを交換する際には表示トレイ１８を下降させて、搬送路２１から送り出されるシートを受け入れることができる。
【００３７】
また、収納トレイ２０では、ローラ１５側のみが下がるように押上板２０１を下降させることができるので、表示トレイ１８から送られてきたシートの端部を揃えて収納できる。
【図面の簡単な説明】
【００３８】
【図１】本実施形態のシート送り装置及びプロジェクタを示す図である。
【図２】シート送り装置の天板側から見た平面図である。
【図３】図２のＩ−Ｉ断面図である。
【図４】図３の状態から、シートを搬送する状態に移行した様子を説明する図である。
【図５】図４の状態におけるシート送り装置の平面図である。
【図６】図４とは逆の方向にシートを搬送する様子を説明する図である。
【符号の説明】
【００３９】
１ａ…シート送り装置、１１…筐体、１１１…天板、１２…表示窓、１３…ローラ、１４…モータ、１５…ローラ、１６…モータ、１７…ローラ、１８…表示トレイ、１８１…押上板、１８２…押上バネ、１８３…支持部材、１９…シリンダ、１９１…ピストンロッド、２０…収納トレイ、２０１…押上板、２０２…押上バネ、２１…搬送路、２…シート、３…プロジェクタ、３１…本体、３２…映写部、３３…アーム、３４…撮像部。
【図１】
2006016168.tif 000003
【図２】
2006016168.tif 000004
【図３】
2006016168.tif 000005
【図４】
2006016168.tif 000006
【図５】
2006016168.tif 000007
【図６】
2006016168.tif 000008